(57)【特許請求の範囲】
【請求項１】
カソード、このカソードに順次隣接かつ所定間隔離れて配置され上記カソードからの電子ビームを制御する第１、第２グリッド、これら第１、第２グリッドにより制御された上記電子ビームを加速、集束する第３グリッドおよび少なくとも３個のグリッドを有する電子銃と、この電子銃から放出される電子ビームを水平方向に偏向するピンクッション形水平偏向磁界および垂直方向に偏向するバレル形垂直偏向磁界を発生する偏向ヨークとを備えるカラーブラウン管装置において、
上記電子銃は上記第２グリッドと第３グリッドとの間に上記偏向ヨークの発生する磁界に同期して動的に変化する電圧が印加される補助第２グリッドが配置され、これら第２グリッド、補助第２グリッドおよび第３グリッドにより垂直方向の集束が水平方向の集束よりも強い非点収差をもちかつ上記補助第２グリッドに印加される動的に変化する電圧により上記非点収差の強度が動的に変化する電子レンズを形成し、電子ビーム進行方向に沿って第３グリッド以降に配置される上記３個のグリッドにより形成される四極子レンズは水平方向の集束が垂直方向の集束よりも強い非点収差をもちかつこれら３個のグリッドの両側に位置するグリッドに印加される動的に変化する電圧により上記非点収差の強度が動的に変化する電子レンズを形成することを特徴とするカラーブラウン管装置。
【請求項２】
補助第２グリッドには第２グリッドに印加される電圧を基準電圧として偏向ヨークの発生する磁界に同期して減少する電圧が印加され、３個のグリッドのうち、両側に位置するグリッドには中間に位置するグリッドに印加される電圧を基準として偏向ヨークの発生する磁界に同期して増大する電圧が印加されることを特徴とする請求項１記載のカラーブラウン管装置。
【請求項３】
補助第２グリッドに水平方向の径が垂直方向の径よりも大きい非円形の電子ビーム通過孔が形成されていることを特徴とする請求項１または２記載のカラーブラウン管装置。
【発明の詳細な説明】
【０００１】
【発明の属する技術分野】
この発明は、カラーブラウン管装置に係り、特に画面周辺部におけるビームスポットの楕円歪を軽減して、良好な画像を表示するカラーブラウン管装置に関する。
【０００２】
【従来の技術】
一般にカラーブラウン管は、パネルおよびファンネルからなる外囲器を有し、そのファンネルのネック内に配設された電子銃から放出される３電子ビームを偏向装置の発生する水平、垂直偏向磁界により偏向し、シャドウマスクを介して、パネルの内面に設けられた蛍光体スクリーンを水平、垂直走査することにより、カラー画像を表示する構造に形成されている。
【０００３】
このようなカラーブラウン管において、特に電子銃を同一水平面上を通るセンタービームおよび一対のサイドビームからなる一列配置の３電子ビームを放出するインライン型電子銃とし、偏向装置の発生する水平偏向磁界をピンクッション形、垂直偏向磁界をバレル形とする非斉一磁界として、上記一列配置の３電子ビームを自己集中するセルフコンバーゼンス・インライン型カラーブラウン管が広く用いられている。
【０００４】
その一列配置の３電子ビームを放出する電子銃としては、各種構造のものがあるが、その１種にＱＰＦ（Quadra Potential Focus）型ダブルフォーカス方式といわれる電子銃がある。このＱＰＦ型ダブルフォーカス方式電子銃は、図６に示すように、水平方向（Ｈ軸方向）に一列に配置された３個のカソードＫ、これらカソードＫから順次蛍光体スクリーン方向に配置された第１乃至第６グリッドＧ1 〜Ｇ6 を有し、その第５グリッドＧ5 は３個のグリッドＧ51，Ｇ52，Ｇ53に分割されている。これらグリッドＧ1 〜Ｇ4 ，Ｇ51〜Ｇ53，Ｇ6 は、それぞれ一体構造に形成され、それぞれ３個のカソードＫに対応して、水平方向に３個の電子ビーム通過孔が一列配置に形成されている。
【０００５】
この電子銃では、各カソードＫに約１５０Ｖの電圧が印加され、第１グリッドＧ1 は接地され、第２グリッドＧ2 には約８００Ｖ、第３グリッドＧ3 には約６ kＶの電圧が印加される。第４グリッドＧ4 は、管内で第２グリッドＧ2 に接続され、約８００Ｖ電圧が印加される。第５グリッドＧ5 の３分割されたグリッドＧ51，Ｇ52，Ｇ53のうち、中間のグリッドＧ52は、第３グリッドＧ3 に接続され、約６ kＶの電圧が印加され、両側のグリッドＧ51，Ｇ53には、上記中間のグリッドＧ52に印加される電圧を基準電圧として、電子ビームの偏向にしたがって増大する動的に変化する電圧が印加される。第６グリッドＧ6 には、約２６ kＶの高電圧が印加される。
【０００６】
このような電圧の印加により、この電子銃では、カソードＫおよび第１、第２グリッドＧ1 ，Ｇ2 により、電子ビームを発生し、かつ後述する主レンズに対する物点を形成する三極部が形成され、第２、第３グリッドＧ2 ，Ｇ3 により、上記三極部からの電子ビームを予備集束するプリフォーカスレンズが、さらに第３、第４グリッドＧ3 ，Ｇ4 および第４グリッドＧ4 側に位置する第５グリッドＧ5 の分割されたグリッドＧ51により、上記プリフォーカスレンズにより予備集束された電子ビームをさらに予備集束するサブレンズが形成される。また第５グリッドＧ5 の分割された３個のグリッドＧ51，Ｇ52，Ｇ53により、四極子レンズが形成される。さらに第６グリッドＧ6 側に位置する第５グリッドＧ5 の分割されたグリッドＧ53と第６グリッドＧ6 とにより、電子ビームを最終的に蛍光体スクリーン上に集束する主レンズが形成される。
【０００７】
この電子銃では、電子ビームが偏向されることなく蛍光体スクリーンの中央に向かうときは、第５グリッドＧ5 の３分割されたグリッドＧ51，Ｇ52，Ｇ53間に四極子レンズは形成されず、三極部からの電子ビームは、上記プリフォーカスレンズ、サブレンズおよび主レンズにより、蛍光体スクリーンの中央上に集束される。
【０００８】
これに対して、電子ビームが蛍光体スクリーンの周辺部方向に偏向されるときは、電子ビームの偏向角に応じて、第５グリッドＧ5 の両側のグリッドＧ51，Ｇ53の電圧が高くなり、３分割されたグリッドＧ51，Ｇ52，Ｇ53間に四極子レンズが形成される。同時にグリッドＧ53の電圧の上昇により、グリッドＧ53と第６グリッドＧ6 とにより形成される主レンズの強度が弱くなる。それにより、電子光学的に電子銃から蛍光体スクリーンまでの距離が遠くなり、像点が遠くなることに対応してレンズ倍率が変化し、偏向ヨークの発生する水平偏向磁界がピンクッション形、垂直偏向磁界がバレル形であるために生ずる偏向収差を補償する。
【０００９】
ところで、カラーブラウン管の画質を良好にするためには、画面全面のフォーカス特性を良好にすることが必要である。しかし上記一列配置の３電子ビームを放出する通常のインライン型電子銃を有するカラーブラウン管では、図７（ａ）に示すように、画面中央部のビームスポット１a をほぼ真円としても、周辺部のビームスポット１b は、偏向収差により水平方向に長い楕円状に歪み（横潰れ）、かつ垂直方向ににじみ２が発生する。
【００１０】
これに対して、上記のように第５グリッドＧ5 を３分割し、その分割されたグリッドＧ51，Ｇ52，Ｇ53間に電子ビームの偏向にしたがって変化する四極子レンズを形成するダブルフォーカス方式の電子銃を有するカラーブラウン管では、図７（ｂ）に示すように、上記偏向収差を補償して、画面周辺部のビームスポット１b のにじみを解消することができ、画面全面にわたり電子ビームをフォーカスさせることができる。しかしこのダブルフォーカス方式の電子銃でも、画面周辺部でのビームスポット１b の横潰れは解消できず、シャドウマスクの電子ビーム通過孔との干渉によりモアレを引起こし、画面上の文字などの表示が見にくくなるという問題がある。
【００１１】
その対策として、第２グリッドの第３グリッドとの対向面に横長の溝を形成した電子銃がある。このように第２グリッドに横長の溝を形成すると、第２、第３グリッドにより形成されるプリフォーカスレンズの垂直方向の集束作用を水平方向の集束作用よりも強く、かつ主レンズに対する水平方向の仮想物点径を縮小、垂直方向の仮想物点径を拡大することができる。それにより、図７（ｃ）に示すように、画面中央部のビームスポット１a の縦長とすると同時に、周辺部のビームスポット１b の横潰れを緩和して、シャドウマスクの電子ビーム通過孔との干渉により生ずるモアレを解消することができる。
【００１２】
この電子銃では、第２グリッドの横長の溝を深くするほど、画面周辺部のビームスポット１b の横潰れを緩和することができるが、それにともなって、画面中央部のビームスポット１a を縦長が助長され、このビームスポットの垂直方向径の拡大により、画面中央部の解像度が劣化する。
【００１３】
【発明が解決しようとする課題】
上記のように、カラーブラウン管の画質を良好にするためには、画面全面にわたり良好なフォーカス状態を保ち、かつビームスポットの楕円歪を少なくすることが必要である。
【００１４】
この点、従来のＱＰＦ型ダブルフォーカス方式の電子銃は、四極子レンズを形成するグリッドに、電子ビームの偏向にしたがって増大する電圧を印加することにより、偏向収差によるビームスポットの垂直方向のにじみを解消することはできる。しかし画面周辺部でのビームスポットの横潰れを解消することはできず、シャドウマスクの電子ビーム通過孔との干渉によりモアレを引起こし、画面上の文字などの表示が見にくくなる。
【００１５】
この画面周辺部でのビームスポットの横潰れを解消するために、第２グリッドの第３グリッドとの対向面に横長の溝を形成すると、画面周辺部のビームスポットの横潰れは解消できる。しかし画面中央部のビームスポットが縦長となり、画面中央部での解像度が劣化する。
【００１６】
したがって上記従来の電子銃では、画面中央部での画像の見易さを重視すれば、画面周辺部の画像が劣化し、逆に画面周辺部での画像の見易さを重視すれば、画面中央部の画像が劣化する。そのため、従来のカラーブラウン管は、画面全面を良好なフォーカス状態にすることができず、妥協的な設計をおこなわなければならないという問題がある。
【００１７】
この発明は、上記問題点を解決するためになされたものであり、画面全面にわたり、フォーカス特性を良好にし、かつビームスポットの楕円歪を小さくすることを目的とする。
【００２０】
【課題を解決するための手段】
（１）  カソード、このカソードに順次隣接かつ所定間隔離れて配置されカソードからの電子ビームを制御する第１、第２グリッド、これら第１、第２グリッドにより制御された電子ビームを加速、集束する第３グリッドおよび少なくとも３個のグリッドを有する電子銃と、この電子銃から放出される電子ビームを水平方向に偏向するピンクッション形水平偏向磁界および垂直方向に偏向するバレル形垂直偏向磁界を発生する偏向ヨークとを備えるカラーブラウン管装置において、電子銃を、第２グリッドと第３グリッドとの間に偏向ヨークの発生する磁界に同期して動的に変化する電圧が印加される補助第２グリッドを配置し、これら第２グリッド、補助第２グリッドおよび第３グリッドにより垂直方向の集束が水平方向の集束よりも強い非点収差をもちかつ補助第２グリッドに印加される動的に変化する電圧によりその非点収差の強度を動的に変化する電子レンズを形成し、電子ビーム進行方向に沿って第３グリッド以降に配置される上記３個のグリッドにより水平方向の集束が垂直方向の集束よりも強い非点収差をもちかつこれら３個のグリッドの両側に位置するグリッドに印加される動的に変化する電圧によりその非点収差の強度を動的に変化させる電子レンズを形成する構造とした。
【００２１】
（２）  （１）のカラーブラウン管において、補助第２グリッドに第２グリッドに印加される電圧を基準電圧として偏向ヨークの発生する磁界に同期して減少する電圧を印加し、３個のグリッドのうち、両側に位置するグリッドに中間に位置するグリッドに印加される電圧を基準電圧として偏向ヨークの発生する磁界に同期して増大する電圧を印加するようにした。
【００２２】
（３）  （１）または（２）のカラーブラウン管装置において、補助第２グリッドに水平方向の径が垂直方向の径よりも大きい非円形の電子ビーム通過孔を形成した。
【００２３】
【発明の実施の形態】
以下、図面を参照してこの発明の実施の形態について説明する。
【００２４】
図３にその一形態であるインライン型カラーブラウン管装置の構成を示す。このカラーブラウン管装置は、実質的に矩形状のパネル１０と漏斗状のファンネル１１からなる外囲器を有し、そのパネル１０の内面に、青、緑、赤に発光するドット状の３色蛍光体層からなる蛍光体スクリーン１２が設けられ、この蛍光体スクリーン１２と対向して、その内側にシャドウマスク１３が配置されている。一方、ファンネル１１のネック１５内に、同一水平面上を通るセンタービーム１６G および一対のサイドビーム１６B ，１６R からなる一列配置の３電子ビーム１６B ，１６G ，１６R を放出する下記電子銃１７が配設されている。またファンネル１１の径大部１８とネック１５との境界部付近の外側に、ピンクッション形水平偏向磁界およびバレル形垂直偏向磁界を発生する偏向ヨーク２０が装着されている。そして、上記電子銃１７から放出される３電子ビーム１６B ，１６G ，１６R をファンネル１１の外側に装着された偏向装置２０の発生する水平、垂直磁界により偏向して、蛍光体スクリーン１２を水平、垂直走査することにより、カラー画像を表示する構造に形成されている。
【００２５】
上記電子銃１７は、ＱＰＦ型ダブルフォーカス方式であり、図１に示すように、水平方向（Ｈ軸方向）に一列に配置された３個のカソードＫ、これらカソードＫを各別に加熱する３個のヒータ（図示せず）および上記カソードＫから順次蛍光体スクリーン方向に所定間隔離れて配置された第１乃至第６グリッドＧ1 〜Ｇ6 を有する。その第５グリッドＧ5 は、第４グリッドＧ4 から第６グリッドＧ6 方向に順次配置された３個のグリッドＧ51，Ｇ52，Ｇ53に分割されている。さらにこの電子銃１７においては、第２グリッドＧ2 と第３グリッドＧ3 との間に補助第２グリッドＧ2sが配置されている。
【００２６】
その第１、第２グリッドＧ1 ，Ｇ2 、補助第２グリッドＧ2s、第３、第４グリッドＧ3 ，Ｇ4 および第５グリッドＧ5 の分割されたグリッドＧ51，Ｇ52，Ｇ53のうち、中間に位置するグリッドＧ52は、それぞれカソードＫの配列方向を長径とする一体構造の板状電極からなる。第５グリッドＧ5 の分割されたグリッドＧ51，Ｇ52，Ｇ53のうち、両側に位置するグリッドＧ51，Ｇ53は、それぞれカソードＫの配列方向を長径とする一体構造の筒状電極からなる。また第６グリッドＧ6 は、カップ状電極からなる。
【００２７】
その板状電極からなる第１、第２、第３、第４グリッドＧ１，Ｇ２，Ｇ３およびＧ４には、それぞれ３個のカソードＫに対応して、３個の円形電子ビーム通過孔が水平方向に一列配置に形成されている。また筒状電極からなるグリッドＧ５１，Ｇ５３およびカップ状電極からなる第６グリッドＧ６の隣接グリッドとの対向面には、それぞれ３個のカソードＫに対応して、同様に３個の円形電子ビーム通過孔が水平方向に一列配置に形成されている。これに対して、補助第２グリッドＧ２ｓには、図２に示すように、３個のカソードＫに対応して、水平方向径が垂直方向径よりも大きい非円形電子ビーム通過孔２２Ｂ，２２Ｇ，２２Ｒが水平方向に一列配置に形成されている。
【００２８】
この電子銃１７では、各カソードＫに約１５０Ｖの電圧が印加され、第１グリッドＧ1 は接地され、第２グリッドＧ2 には、約８００Ｖの電圧が印加される。補助第２グリッドＧ2sには、第２グリッドＧ2 に印加される電圧（約８００Ｖ）を基準電圧として、偏向ヨークの発生する磁界に同期して動的に変化する電圧、すなわち、図４（ａ）および（ｂ）に示すように、第２グリッドに印加される電圧２４を基準電圧として、水平偏向電流２５H および垂直偏向電流２５V に同期して、放物線状に減少する電圧２６H ，２６V が印加される。第３グリッドＧ3 には、約６ kＶの電圧が印加される。第４グリッドＧ4 は、管内で第２グリッドＧ2 に接続され、約８００Ｖの電圧が印加される。第５グリッドＧ5 の分割されたグリッドＧ51，Ｇ52，Ｇ53のうち、中間に位置するグリッドＧ52は、管内で第３グリッドＧ3 に接続され、約６ kＶの電圧が印加される。これに対して両側に位置するグリッドＧ51，Ｇ53は、管内で接続され、これらグリッドＧ51，Ｇ53には、グリッドＧ52に印加される電圧（約６ kＶ）を基準電圧として、偏向ヨークの発生する磁界に同期して動的に変化する電圧、すなわち、水平偏向電流および垂直偏向電流に同期して、放物線状に増大する電圧が印加される。また第６グリッドＧ6 には、約２６ kＶの高電圧が印加される。
【００２９】
上記電圧の印加により、この電子銃１７では、カソードＫおよび第１、第２グリッドＧ1 ，Ｇ2 により電子ビームを発生し、かつ後述する主レンズに対する物点を形成する三極部が形成され、第２グリッドＧ2 、補助第２グリッドＧ2sおよび第３グリッドＧ3 により、上記三極部からの電子ビームを予備集束するプリフォーカスレンズが、さらに第３、第４グリッドＧ3 ，Ｇ4 および第４グリッドＧ4 側に位置する第５グリッドＧ5 の分割されたグリッドＧ51により、上記プリフォーカスレンズにより予備集束された電子ビームをさらに予備集束するサブレンズが形成される。また第５グリッドＧ5 の分割された３個のグリッドＧ51，Ｇ52，Ｇ53により、偏向収差を補償する四極子レンズが形成される。さらに第６グリッドＧ6 側に位置する第５グリッドＧ5 の分割されたグリッドＧ53と第６グリッドＧ6 とにより、電子ビームを最終的に蛍光体スクリーン上に集束する主レンズが形成される。
【００３０】
この電子銃１７では、電子ビームが偏向されることなく蛍光体スクリーンの中央に向かうとき（無偏向時）は、三極部からの電子ビームは、第２グリッドＧ2 、補助第２グリッドＧ2sおよび第３グリッドＧ3 により形成されるプリフォーカスレンズにより予備集束されるが、この場合、補助第２グリッドＧ2sには水平方向径が垂直方向径よりも大きい非円形電子ビーム通過孔が形成されているため、弱い負の非点収差（垂直方向の集束が水平方向の集束よりも強い非点収差）を受け、主レンズに対する水平方向の仮想物点径が縮小し、水平方向の発散角が拡大する。ついでこのプリフォーカスレンズにより予備集束された電子ビームは、第３、第４グリッドＧ3 ，Ｇ4 および第５グリッドＧ5 の分割されたグリッドＧ51により形成されるサブレンズにより、さらに予備集束される。つぎの第５グリッドＧ5 の分割された３個のグリッドＧ51，Ｇ52，Ｇ53間には、この場合、電子レンズは形成されないので、上記サブレンズにより予備集束された電子ビームは、これらグリッドＧ51，Ｇ52，Ｇ53を通過し、その後、第５グリッドＧ5 の分割されたグリッドＧ53と第６グリッドＧ6 とにより形成される主レンズにより最終的に集束され、蛍光体スクリーンの中央に入射する。
【００３１】
その結果、図５に示すように、蛍光体スクリーンの中央に入射する電子ビームのビームスポット２８a は、上記補助第２グリッドＧ2sによる弱い負の非点収差によりやや縦長のほぼ円形となる。
【００３２】
これに対して、電子ビームが蛍光体スクリーンの周辺方向に偏向されるとき（偏向時）は、三極部からの電子ビームは、第２グリッドＧ2 、補助第２グリッドＧ2sおよび第３グリッドＧ3 により形成されるプリフォーカスレンズにより予備集束されるが、この場合は、無偏向時のときよりも補助第２グリッドＧ2sの電圧が偏向角の増大にともなって低くなる（図４参照）ため、強い負の非点収差を受け、無偏向時のときよりも主レンズに対する水平方向の仮想物点径がより小さく、垂直方向の仮想物点径がより拡大する。また無偏向時のときよりも水平方向の発散角が拡大し、垂直方向の発散角が縮小する。ついで上記プリフォーカスレンズにより予備集束された電子ビームは、第３、第４グリッドＧ3 ，Ｇ4 および第５グリッドＧ5 の分割されたグリッドＧ51により形成されるサブレンズにより、さらに予備集束される。ついでこの偏向時には、第５グリッドＧ5 の分割されたグリッドＧ51，Ｇ53に、グリッドＧ52に印加される電圧を基準電圧として偏向角の増大にともなって高くなる電圧が印加されるため、これらグリッドＧ51，Ｇ52，Ｇ53により、正の非点収差（水平方向の集束が垂直方向の集束よりも強い非点収差）を受け、上記プリフォーカスレンズによる発散角が補正され、かつ偏向収差を補正する作用を受ける。その後、第５グリッドＧ5 の分割されたグリッドＧ53と第６グリッドＧ6 とにより形成される主レンズにより最終的に集束され、蛍光体スクリーンの周辺部に入射する。
【００３３】
この蛍光体スクリーンの周辺部に入射する電子ビームのビームスポットは、上記補助第２グリッドＧ2sによる強い負の非点収差により水平方向の仮想物点径が縮小するため、水平方向径が縮小する。一方、垂直方向の仮想物点径の拡大により垂直方向径が拡大する。その結果、図５に示したように、蛍光体スクリーンの周辺部に入射する電子ビームのビームスポット２８b は、横つぶれが緩和され、ほぼ円形となる。
【００３４】
したがって上記のように電子銃１７を構成すると、画面全面にわたりビームスポットの楕円歪を緩和してほぼ円形とすることができ、かつ画面全面のフォーカス状態を均一にして、良好な画像を表示するカラーブラウン管装置を構成することができる。
【００３５】
【発明の効果】
上述のように、カソード、このカソードに順次隣接かつ所定間隔離れて配置されカソードからの電子ビームを制御する第１、第２グリッド、これら第１、第２グリッドにより制御された電子ビームを加速、集束する第３グリッドおよび少なくとも１個のグリッドを有する電子銃と、この電子銃から放出される電子ビームを水平方向に偏向するピンクッション形水平偏向磁界および垂直方向に偏向するバレル形垂直偏向磁界を発生する偏向ヨークとを備えるカラーブラウン管装置において、第２グリッドと第３グリッドとの間に偏向ヨークの発生する磁界に同期して動的に変化する電圧が印加される補助第２グリッドを配置し、これら第２グリッド、補助第２グリッドおよび第３グリッドにより垂直方向の集束が水平方向の集束よりも強い非点収差をもちかつ補助第２グリッドに印加される動的に変化する電圧によりその非点収差の強度を動的に変化させる電子レンズを形成する構造とすると、電子ビームの仮想物点径を動的に変化させ、画面周辺部のビームスポットの横つぶれを緩和でき、画面全面のフォーカス状態を均一にして、良好な画像を表示するカラーブラウン管装置を構成することができる。
【図面の簡単な説明】
【図１】この発明の実施の一形態に係るインライン型カラーブラウン管の電子銃の構成を示す図である。
【図２】上記電子銃の補助第２グリッドの構成を示す図である。
【図３】この発明の実施の一形態であるインライン型カラーブラウン管の構成を示す図である。
【図４】図４（ａ）および（ｂ）はそれぞれ上記補助第２グリッドに印加される偏向電流に同期して変化する電圧を示す図である。
【図５】この発明の実施の一形態であるインライン型カラーブラウン管の蛍光体スクリーン上のビームスポットの形状を説明するための図である。
【図６】従来のインライン型カラーブラウン管の電子銃の構成を示す図である。
【図７】図７（ａ）は従来の通常のインライン型電子銃を有するカラーブラウン管の蛍光体スクリーン上のビームスポットの形状を説明するための図、図７（ｂ）は従来のＱＰＦ型ダブルフォーカス方式電子銃を有するカラーブラウン管の蛍光体スクリーン上のビームスポットの形状を説明するための図、図７（ｃ）はそのＱＰＦ型ダブルフォーカス方式電子銃の第２グリッドに横長の溝を形成した電子銃を有するカラーブラウン管の蛍光体スクリーン上のビームスポットの形状を説明するための図である。
【符号の説明】
１２…蛍光体スクリーン
１６B ，１６R …一対のサイドビーム
１６G …センタービーム
１７…電子銃
２０…偏向ヨーク
Ｇ1 …第１グリッド
Ｇ2 …第２グリッド
Ｇ2s…補助第２グリッド
Ｇ3 …第３グリッド
Ｇ4 …第４グリッド
Ｇ5 …第５グリッド
Ｇ51…第５グリッドの分割されたグリッド
Ｇ52…第５グリッドの分割されたグリッド
Ｇ53…第５グリッドの分割されたグリッド
Ｇ6 …第６グリッド
Ｋ  …カソード
【図１】
0003734327.tif 000002
【図２】
0003734327.tif 000003
【図３】
0003734327.tif 000004
【図４】
0003734327.tif 000005
【図５】
0003734327.tif 000006
【図６】
0003734327.tif 000007
【図７】
0003734327.tif 000008